(57)【特許請求の範囲】
【請求項１】
複数の画像を表示画面上に一覧表示する一覧表示制御手段と、
複数のテーマの各々を表現した複数のテーマアイコンの１つを選択するテーマ選択手段と、
前記テーマ選択手段により選択されたテーマアイコンを前記複数の画像が一覧表示された表示画面上に表示させた状態で移動させるアイコン移動表示制御手段と、
前記アイコン移動表示制御手段により移動する前記テーマアイコンが前記複数の画像のいずれかと重なる毎に、重なった画像から検出されるテーマと当該テーマアイコンが表現するテーマとが一致するか否かを判断し、一致すると判断された場合に、重なった画像を当該テーマアイコンと関連付ける分類処理を実行する分類手段と、
前記分類手段により複数の画像が関連付けられたテーマアイコンを表示画面に表示させるアイコン表示制御手段と、
前記テーマ選択手段によるテーマアイコンの選択処理と、この選択したテーマアイコンを対象とした、前記アイコン移動表示制御手段によるテーマアイコンの移動処理、前記分類手段によるテーマアイコンに対する分類処理、前記アイコン表示制御手段によるテーマアイコンの表示処理を含む一連の処理を繰り返し実行する実行制御手段と、
前記実行制御手段により前記一連の処理を繰り返し実行することにより表示画面に表示されたテーマアイコンのいずれかに対するユーザ操作に応じて、当該テーマアイコンが表現するテーマに分類された複数の画像を表示させる対応画像表示制御手段と、
を備えることを特徴とする画像表示装置。
【請求項２】
請求項１記載の画像表示装置において、
前記分類手段は、前記分類処理とともに、前記移動するテーマアイコンが表現するテーマと一致する画像と一致しない画像とを識別して表示する識別表示処理を実行することを特徴とする画像表示装置。
【請求項３】
請求項２に記載の画像表示装置において、
前記分類手段が実行する前記識別表示処理には、前記重なった画像から検出されるテーマと前記移動するテーマアイコンが表現するテーマとが一致する毎に、重なった画像の縮小画像を当該テーマアイコン上に追加して表示させる処理が含まれ、
前記縮小画像は、前記テーマアイコンとともに移動することを特徴とする画像表示装置。
【請求項４】
請求項１乃至３のいずれか一項に記載の画像表示装置において、
複数の画像を記憶する画像記憶手段と、
前記画像記憶手段に記憶された複数の画像の中から、前記分類手段が実行する前記分類処理の対象となる複数の画像を選択する対象画像選択手段と、
を備えることを特徴とする画像表示装置。
【請求項５】
請求項１乃至４のいずれか一項に記載の画像表示装置において、
前記アイコン移動表示制御手段は、前記テーマ選択手段により選択されたテーマアイコンを、一覧表示されている各画像上に所定の順序で自動的に移動させることを特徴とする画像表示装置。
【請求項６】
請求項５記載の画像表示装置において、
前記アイコン表示制御手段は、前記アイコン移動表示制御手段により前記テーマアイコンが前記一覧表示されている全ての画像上を移動した場合に、前記複数の画像の一覧表示を終了させるとともに、当該テーマアイコンを、当該テーマアイコンが表現するテーマに分類された複数の画像へのリンクとして表示画面に表示させ、
前記対応画像表示制御手段は、いずれかのテーマアイコンに対するユーザ操作に応じて、当該テーマアイコンを拡大表示させるとともに、このテーマアイコン上に、当該テーマアイコンが表現するテーマに分類された各画像のサムネイルを表示させることを特徴とする画像表示装置。
【請求項７】
請求項１乃至６のいずれか一項に記載の画像表示装置において、
前記複数の画像の各々には、予め複数のテーマが関連付けて記憶されており、
前記分類手段は、前記重なった画像に関連付けて記憶されている複数のテーマのいずれかが前記移動するテーマアイコンが表現するテーマと一致するかの判断を行うことを特徴とする画像表示装置。
【請求項８】
請求項７に記載の画像表示装置において、
前記テーマ選択手段は、前記一覧表示された画像に関連付けられているテーマに対応するテーマアイコンを、一覧表示されていない画像に関連付けられているテーマに対応するテーマアイコンよりも優先的に表示画面上に一覧表示させた状態で、この一覧表示された何れかのテーマを、ユーザ操作に基づいて選択することを特徴とする画像表示装置。
【請求項９】
請求項８に記載の画像表示装置において、
前記テーマ選択手段は、前記一覧表示された画像に関連付けられている複数のテーマに対応する複数のテーマアイコンを、関連付けられている画像の数が多い順に表示画面上に一覧表示させた状態で、この一覧表示された何れかのテーマを、ユーザ操作に基づいて選択することを特徴とする画像表示装置。
【請求項１０】
画像表示装置に、
複数の画像を表示画面上に一覧表示する一覧表示制御処理と、
複数のテーマの各々を表現した複数のテーマアイコンの１つを選択するテーマ選択処理と、
前記テーマ選択処理により選択されたテーマアイコンを前記複数の画像が一覧表示された表示画面上に表示させた状態で移動させるアイコン移動表示制御処理と、
前記アイコン移動表示制御処理により移動する前記テーマアイコンが前記複数の画像のいずれかと重なる毎に、重なった画像から検出されるテーマと当該テーマアイコンが表現するテーマとが一致するか否かを判断し、一致すると判断された場合に、重なった画像を当該テーマアイコンと関連付ける分類処理と、
前記分類処理により複数の画像が関連付けられたテーマアイコンを表示画面に表示させるアイコン表示制御処理と、
前記テーマアイコンの選択処理と、この選択したテーマアイコンを対象とした、前記テーマアイコンの移動処理、前記テーマアイコンに対する分類処理、前記テーマアイコンの表示処理を含む一連の処理を繰り返し実行する実行制御処理と、
前記実行制御処理により前記一連の処理を繰り返し実行することにより表示画面に表示されたテーマアイコンのいずれかに対するユーザ操作に応じて、当該テーマアイコンが表現するテーマに分類された複数の画像を表示させる対応画像表示制御処理と、
を実行させることを特徴とする画像表示方法。
【請求項１１】
コンピュータに、
複数の画像を表示画面上に一覧表示する一覧表示制御機能と、
複数のテーマの各々を表現した複数のテーマアイコンの１つを選択するテーマ選択機能と、
前記テーマ選択機能により選択されたテーマアイコンを前記複数の画像が一覧表示された表示画面上に表示させた状態で移動させるアイコン移動表示制御機能と、
前記アイコン移動表示制御機能により移動する前記テーマアイコンが前記複数の画像のいずれかと重なる毎に、重なった画像から検出されるテーマと当該テーマアイコンが表現するテーマとが一致するか否かを判断し、一致すると判断された場合に、重なった画像を当該テーマアイコンと関連付ける分類処理を実行する分類機能と、
前記分類機能により複数の画像が関連付けられたテーマアイコンを表示画面に表示させるアイコン表示制御機能と、
前記テーマ選択機能によるテーマアイコンの選択処理と、この選択したテーマアイコンを対象とした、前記アイコン移動表示制御機能によるテーマアイコンの移動処理、前記分類機能によるテーマアイコンに対する分類処理、前記アイコン表示制御機能によるテーマアイコンの表示処理を含む一連の処理を繰り返し実行する実行制御機能と、
前記実行制御機能により前記一連の処理を繰り返し実行することにより表示画面に表示されたテーマアイコンのいずれかに対するユーザ操作に応じて、当該テーマアイコンが表現するテーマに分類された複数の画像を表示させる対応画像表示制御機能と、
を実現させることを特徴とするプログラム。
【発明の詳細な説明】
【技術分野】
【０００１】
本発明は、画像表示装置、画像表示方法及びプログラムに関する。
【背景技術】
【０００２】
従来より、複数の画像データを取り込んで画像を表示する画像表示装置においては、複数の画像をいっぺんに表示する際に、画像をテーマ別に分類して表示することが可能となっている（例えば、特許文献１，２参照）。より詳細には、特許文献１に記載の技術では、様々なテーマを表すテーママークを用意しておき、撮影順などで配列された一連の画像を表示する場合に、一連の画像をテーマ別の画像列に区切り、画像列のテーマに対応するテーママークを各画像列の先頭に表示させるようになっている。また、特許文献２に記載の技術では、複数の画像をテーマ別に分類してツリー形式で表示するようになっている。
【先行技術文献】
【特許文献】
【０００３】
【特許文献１】特開２００３−７６６９３号公報
【特許文献２】特開１９９５−２９５８７号公報
【発明の概要】
【発明が解決しようとする課題】
【０００４】
しかしながら、上記特許文献１，２に記載の技術では、分類された状態の画像が静的に表示されるため、面白みに欠けてしまうという問題がある。
【０００５】
本発明の課題は、面白みを持たせて画像を分類表示する処理や画像の比較に基づく所定の処理などを実行することのできる画像表示装置、画像表示方法及びプログラムを提供することである。
【課題を解決するための手段】
【０００６】
上記課題を解決するため、請求項１に記載の発明の画像処理装置は、複数の画像を表示画面上に一覧表示する一覧表示制御手段と、複数のテーマの各々を表現した複数のテーマアイコンの１つを選択するテーマ選択手段と、前記テーマ選択手段により選択されたテーマアイコンを前記複数の画像が一覧表示された表示画面上に表示させた状態で移動させるアイコン移動表示制御手段と、前記アイコン移動表示制御手段により移動する前記テーマアイコンが前記複数の画像のいずれかと重なる毎に、重なった画像から検出されるテーマと当該テーマアイコンが表現するテーマとが一致するか否かを判断し、一致すると判断された場合に、重なった画像を当該テーマアイコンと関連付ける分類処理を実行する分類手段と、前記分類手段により複数の画像が関連付けられたテーマアイコンを表示画面に表示させるアイコン表示制御手段と、前記テーマ選択手段によるテーマアイコンの選択処理と、この選択したテーマアイコンを対象とした、前記アイコン移動表示制御手段によるテーマアイコンの移動処理、前記分類手段によるテーマアイコンに対する分類処理、前記アイコン表示制御手段によるテーマアイコンの表示処理を含む一連の処理を繰り返し実行する実行制御手段と、前記実行制御手段により前記一連の処理を繰り返し実行することにより表示画面に表示されたテーマアイコンのいずれかに対するユーザ操作に応じて、当該テーマアイコンが表現するテーマに分類された複数の画像を表示させる対応画像表示制御手段と、を備えることを特徴とする。
【０００７】
請求項２に記載の発明は更に、前記分類手段は、前記分類処理とともに、前記移動するテーマアイコンが表現するテーマと一致する画像と一致しない画像とを識別して表示する識別表示処理を実行することを特徴とする。
【０００８】
請求項３に記載の発明は更に、前記分類手段が実行する前記識別表示処理には、前記重なった画像から検出されるテーマと前記移動するテーマアイコンが表現するテーマとが一致する毎に、重なった画像の縮小画像を当該テーマアイコン上に追加して表示させる処理が含まれ、前記縮小画像は、前記テーマアイコンとともに移動することを特徴とする。
請求項４に記載の発明は更に、複数の画像を記憶する画像記憶手段と、前記画像記憶手段に記憶された複数の画像の中から、前記分類手段が実行する前記分類処理の対象となる複数の画像を選択する対象画像選択手段と、を備えることを特徴とする。
請求項５に記載の発明は更に、前記アイコン移動表示制御手段は、前記テーマ選択手段により選択されたテーマアイコンを、一覧表示されている各画像上に所定の順序で自動的に移動させることを特徴とする。
請求項６に記載の発明は更に、前記アイコン表示制御手段は、前記アイコン移動表示制御手段により前記テーマアイコンが前記一覧表示されている全ての画像上を移動した場合に、前記複数の画像の一覧表示を終了させるとともに、当該テーマアイコンを、当該テーマアイコンが表現するテーマに分類された複数の画像へのリンクとして表示画面に表示させ、前記対応画像表示制御手段は、いずれかのテーマアイコンに対するユーザ操作に応じて、当該テーマアイコンを拡大表示させるとともに、このテーマアイコン上に、当該テーマアイコンが表現するテーマに分類された各画像のサムネイルを表示させることを特徴とする。
請求項７に記載の発明は更に、前記複数の画像の各々には、予め複数のテーマが関連付けて記憶されており、前記分類手段は、前記重なった画像に関連付けて記憶されている複数のテーマのいずれかが前記移動するテーマアイコンが表現するテーマと一致するかの判断を行うことを特徴とする。
請求項８に記載の発明は更に、前記テーマ選択手段は、前記一覧表示された画像に関連付けられているテーマに対応するテーマアイコンを、一覧表示されていない画像に関連付けられているテーマに対応するテーマアイコンよりも優先的に表示画面上に一覧表示させた状態で、この一覧表示された何れかのテーマを、ユーザ操作に基づいて選択することを特徴とする。
請求項９に記載の発明は更に、前記テーマ選択手段は、前記一覧表示された画像に関連付けられている複数のテーマに対応する複数のテーマアイコンを、関連付けられている画像の数が多い順に表示画面上に一覧表示させた状態で、この一覧表示された何れかのテーマを、ユーザ操作に基づいて選択することを特徴とする。
【０００９】
請求項１０に記載の発明は、画像表示装置に、複数の画像を表示画面上に一覧表示する一覧表示制御処理と、複数のテーマの各々を表現した複数のテーマアイコンの１つを選択するテーマ選択処理と、前記テーマ選択処理により選択されたテーマアイコンを前記複数の画像が一覧表示された表示画面上に表示させた状態で移動させるアイコン移動表示制御処理と、前記アイコン移動表示制御処理により移動する前記テーマアイコンが前記複数の画像のいずれかと重なる毎に、重なった画像から検出されるテーマと当該テーマアイコンが表現するテーマとが一致するか否かを判断し、一致すると判断された場合に、重なった画像を当該テーマアイコンと関連付ける分類処理と、前記分類処理により複数の画像が関連付けられたテーマアイコンを表示画面に表示させるアイコン表示制御処理と、前記テーマアイコンの選択処理と、この選択したテーマアイコンを対象とした、前記テーマアイコンの移動処理、前記テーマアイコンに対する分類処理、前記テーマアイコンの表示処理を含む一連の処理を繰り返し実行する実行制御処理と、前記実行制御処理により前記一連の処理を繰り返し実行することにより表示画面に表示されたテーマアイコンのいずれかに対するユーザ操作に応じて、当該テーマアイコンが表現するテーマに分類された複数の画像を表示させる対応画像表示制御処理と、を実行させることを特徴とする。
請求項１１に記載の発明は、プログラムにおいて、コンピュータに、複数の画像を表示画面上に一覧表示する一覧表示制御機能と、複数のテーマの各々を表現した複数のテーマアイコンの１つを選択するテーマ選択機能と、前記テーマ選択機能により選択されたテーマアイコンを前記複数の画像が一覧表示された表示画面上に表示させた状態で移動させるアイコン移動表示制御機能と、前記アイコン移動表示制御機能により移動する前記テーマアイコンが前記複数の画像のいずれかと重なる毎に、重なった画像から検出されるテーマと当該テーマアイコンが表現するテーマとが一致するか否かを判断し、一致すると判断された場合に、重なった画像を当該テーマアイコンと関連付ける分類処理を実行する分類機能と、前記分類機能により複数の画像が関連付けられたテーマアイコンを表示画面に表示させるアイコン表示制御機能と、前記テーマ選択機能によるテーマアイコンの選択処理と、この選択したテーマアイコンを対象とした、前記アイコン移動表示制御機能によるテーマアイコンの移動処理、前記分類機能によるテーマアイコンに対する分類処理、前記アイコン表示制御機能によるテーマアイコンの表示処理を含む一連の処理を繰り返し実行する実行制御機能と、前記実行制御機能により前記一連の処理を繰り返し実行することにより表示画面に表示されたテーマアイコンのいずれかに対するユーザ操作に応じて、当該テーマアイコンが表現するテーマに分類された複数の画像を表示させる対応画像表示制御機能と、を実現させることを特徴とする。
【発明の効果】
【００１０】
本発明によれば、画像一覧が表示され、何れかのテーマが選択されると、選択されたテーマに対応するテーマアイコンが表示されて画像一覧内で移動し、移動するテーマアイコンが複数の画像のいずれかと重なる毎に、重なった画像から検出されるテーマと当該テーマアイコンが表現するテーマとの比較に基づく所定の処理を実行する。従って、分類や比較の結果が静的に表示される従来の場合と比較して、面白みを持たせて画像の分類や比較を行うことができる。
【図面の簡単な説明】
【００１１】
【図１】画像表示装置の概略構成を示すブロック図である。
【図２】画像表示装置の概略構成を示す図である。
【図３】画像フォルダのデータ構造を示す図である。
【図４】アイコンデータテーブルのデータ構造を示す図である。
【図５】画像・テーマ対応テーブルのデータ構造を示す図である。
【図６】画像表示処理の流れを示すフローチャートである。
【図７】フォルダ内テーマ検知処理の流れを示すフローチャートである。
【図８】表示部の表示内容を示す図である。
【図９】表示部の表示内容を示す図である。
【図１０】表示部の表示内容を示す図である。
【図１１】表示部の表示内容を示す図である。
【図１２】アイコンデータテーブルの変形例のデータ構造を示す図である。
【発明を実施するための形態】
【００１２】
以下、添付図面を参照して本発明に係る実施の形態の一例を詳細に説明する。ただし、発明の範囲は、図示例に限定されない。
【００１３】
［構成］
図１は、本発明を適用した画像表示装置１の概略構成を示すブロック図である。なお、本実施形態の画像表示装置１は、例えば図２に示すように、卓上に設置されるデジタルフォトフレーム等であり、外部機器（例えばデジタルカメラ）等から画像データを取得し、取得した画像データに基づく表示を行うようになっている。
【００１４】
具体的には、画像表示装置１は、図１に示すように、表示部１１と、入力部１２と、通信部１３と、記憶媒体読取部１４と、ＲＯＭ１５と、ＲＡＭ１６と、ＣＰＵ１８等とを備えて構成されている。
【００１５】
表示部１１は、液晶ディスプレイ（ＬＣＤ）や有機エレクトロルミネッセンス（Electro-Luminescence：ＥＬ）ディスプレイ等からなり、ＣＰＵ１８からの表示信号に従って各種情報を表示するようになっている。なお、本実施の形態における表示部１１のディスプレイには、タッチパネル１２０が表示画面全面に亘って一体的に設けられている。
【００１６】
入力部１２は、上述のタッチパネル１２０と、マウス１２１とを備えており、ユーザ操作に対応する操作信号をＣＰＵ１８に出力するようになっている。
【００１７】
通信部１３は、パソコンやカメラなど、他の電子機器との間でデータ通信を行うものであり、本実施の形態においては、ＲＯＭ１５内の情報を送受信できるようになっている。また、この通信部５０は、インターネットに接続可能となっており、これにより、インターネットに接続される外部機器との通信が可能となっている。なお、通信方式は無線であっても良いし、有線であっても良い。
【００１８】
記憶媒体読取部１４は、カードスロット１４０を備えており、当該カードスロット１４０に装着された外部情報記憶媒体１４ａから情報を読み出したり、当該外部情報記憶媒体１４ａに情報を記録したりするようになっている。なお、この外部情報記憶媒体１４ａには、ＲＯＭ１５やＲＡＭ１６内の情報を記録できるようになっている
【００１９】
ＲＯＭ１５は、画像表示装置１の各種機能を実現するためのプログラムやデータを記憶するメモリである。本実施の形態においては、ＲＯＭ１５は、本発明に係る画像表示プログラム１５０と、画像フォルダ群１５１と、アイコンデータテーブル１５３と、画像・テーマ対応テーブル１５４等とを記憶している。
【００２０】
画像表示プログラム１５０は、後述の画像表示処理（図６〜図７参照）をＣＰＵ１８に実行させるためのプログラムである。
【００２１】
画像フォルダ群１５１は、複数の画像フォルダ１５２を有している。各画像フォルダ１５２には、図３に示すように、一連の複数の画像についての画像データが格納されている。なお、画像フォルダ１５２内の各画像データには、作成日時（撮影日時）が対応付けられている。
【００２２】
アイコンデータテーブル１５３は、図４に示すように、画像で表現され得る複数種類の各画像テーマについて、テーマ名と、当該テーマを表現したテーマアイコンＩとを対応付けて記憶している。また、このアイコンデータテーブル１５３は、本実施の形態においては、画像テーマごとに、当該テーマを表す一般的な画像（以下、典型画像とする）ＴＧを複数種類記憶している。
【００２３】
画像・テーマ対応テーブル１５４は、画像フォルダ１５２ごとに設けられており、図５に示すように、該当する画像フォルダ１５２内の各画像に対応付けて、当該画像のテーマを１つ以上、３つまで記憶するようになっている。
【００２４】
ＲＡＭ１６は、ＣＰＵ１８が実行する各種プログラムや、これらプログラムの実行に係るデータ等を一時的に保持するメモリ領域を備えており、本実施の形態においては、テーマ展開領域１６０を備えている。
【００２５】
このテーマ展開領域１６０には、後述の画像表示処理（図６〜図７参照）において検出される画像テーマが複数種類、蓄積記憶されるようになっている。
【００２６】
ＣＰＵ１８は、入力される指示に応じて所定のプログラムに基づいた処理を実行し、各機能部への指示やデータの転送等を行い、画像表示装置１を統括的に制御するようになっている。具体的には、ＣＰＵ１８は、入力部１２から入力される操作信号等に応じてＲＯＭ１５に格納された各種プログラムを読み出し、当該プログラムに従って処理を実行する。そして、ＣＰＵ１８は、処理結果をＲＡＭ１６に保存するとともに、当該処理結果を表示部１１に適宜出力させる。
【００２７】
［動作］
続いて、画像表示装置１による画像表示処理について、図６〜図７を参照しつつ説明する。
【００２８】
この画像表示処理においては、図６に示すように、まずＣＰＵ１８は、デスクトップに表示されている各画像フォルダ１５２を指定画像フォルダ１５２Ｓとして順に指定して、フォルダ内テーマ検知処理を行う（ステップＳ１）。
【００２９】
具体的には、図７に示すように、このフォルダ内テーマ検知処理においてまずＣＰＵ１８は、指定画像フォルダ１５２Ｓについて、データの格納されていない新規な画像・テーマ対応テーブル１５４（以下、画像・テーマ対応テーブル１５４Ｎとする）を作成するとともに、指定画像フォルダ１５２Ｓに含まれる各画像データを時間順（本実施の形態においては作成日時の古い順）にソートして画像・テーマ対応テーブル１５４Ｎに記憶させ（ステップＴ１）、先頭の画像データの画像を処理対象に設定する（ステップＴ２）。
【００３０】
次に、ＣＰＵ１８は、処理対象の画像データの画像（以下、処理対象の画像とする）とアイコンデータテーブル１５３内の各典型画像ＴＧとを比較して、処理対象の画像に類似する典型画像ＴＧをアイコンデータテーブル１５３内で検索し、検出された各典型画像ＴＧの画像テーマをテーマ展開領域１６０に蓄積記憶させる（ステップＴ３）。なお、処理対象の画像と典型画像ＴＧとの類比判断には、従来より公知の画像マッチング技術を用いることができる。
【００３１】
次に、ＣＰＵ１８は、テーマ展開領域１６０に蓄積記憶された画像テーマを種類ごとに集計し、数の多い３種類の画像テーマを処理対象の画像の画像テーマとして画像・テーマ対応テーブル１５４Ｎに記憶させる（ステップＴ４）。
【００３２】
次に、ＣＰＵ１８は、指定画像フォルダ１５２Ｓに次の画像データが存在するか否かを判定し（ステップＴ５）、存在すると判定した場合（ステップＴ５；Ｙｅｓ）には、次の画像データを処理対象に設定した後（ステップＴ６）、上述のステップＴ３に移行する。
【００３３】
そして、ステップＴ５において次の画像データが存在しないと判定した場合（ステップＴ５；Ｎｏ）には、ＣＰＵ１８は、フォルダ内テーマ検知処理を終了する。
【００３４】
以上のフォルダ内テーマ検知処理が終了したら、図６に示すように、次にＣＰＵ１８は、マウス１２１等を介して画像フォルダ１５２が指定されるか否かを判定する（ステップＳ２）。
【００３５】
このステップＳ２において画像フォルダ１５２が指定されたと判定した場合（ステップＳ２；Ｙｅｓ）には、ＣＰＵ１８は、マウス１２１の右クリックで処理メニューの表示操作が行われたか否かを判定し（ステップＳ３）、行われていないと判定した場合（ステップＳ３；Ｎｏ）には、他の処理に移行する。なお、本実施の形態においては、マウス１２１の右クリックで表示される処理メニューには、後述の図８（ａ）に示すように、「開く」、「テーマ毎に開く」、「テーマ設定」等のメニューが含まれている。そして、「開く」の処理メニューは、ステップＳ２で指定された画像フォルダ１５２（以下、指定画像フォルダ１５２Ｓとする）を開くことを指示するようになっている。また、「テーマ毎に開く」の処理メニューは、指定画像フォルダ１５２Ｓ内の画像のうち、任意のテーマの画像のみを開くことを指示するようになっている。また、「テーマ設定」の処理メニューは、指定画像フォルダ１５２Ｓ内の画像のうち、任意のテーマの画像についてリンクアイコンを作成することを指示するようになっている。
【００３６】
そして、このステップＳ３において処理メニューの表示操作が行われたと判定した場合（ステップＳ３；Ｙｅｓ）には、ＣＰＵ１８は、「開く」、「テーマ毎に開く」、「テーマ設定」等の処理メニューを表示させた後、「テーマ設定」の処理メニューが指定されるか否かを判定し（ステップＳ４）、指定されないと判定した場合（ステップＳ４；Ｎｏ）には、他の処理へ移行する。
【００３７】
また、ステップＳ４において「テーマ設定」の処理メニューが指定されたと判定した場合（ステップＳ４；Ｙｅｓ）には、ＣＰＵ１８は、アイコンデータテーブル１５３に記憶された画像テーマで、かつ、指定画像フォルダ１５２Ｓに対応する画像・テーマ対応テーブル１５４内で各画像に対応付けられた画像テーマ（後述のステップＳ８で表示される画像一覧に含まれる画像のテーマ）を読み出し、読み出した画像テーマに対応するテーマアイコンＩを所定の順序で表示部１１に一覧表示させる（ステップＳ５）。なお、本実施の形態においては、このときＣＰＵ１８は、対応付けられた画像数が多い順にテーマアイコンＩを表示させるようになっているが、対応付けられた画像の作成日時が古い順にテーマアイコンＩを表示させても良い。
【００３８】
次に、ＣＰＵ１８は、何れかのテーマアイコンＩがユーザに選択されるか否かを判定し（ステップＳ６）、選択されないと判定した場合（ステップＳ６；Ｎｏ）には、他の処理へ移行する。
【００３９】
また、ステップＳ６において何れかのテーマアイコンＩが選択されたと判定した場合、換言すれば、テーマアイコンＩで表される何れかの画像テーマが選択されたと判定した場合（ステップＳ６；Ｙｅｓ）には、ＣＰＵ１８は、選択されたテーマアイコンＩ（以下、選択テーマアイコンＩＳとする）についての処理メニューとして、「テーマリンク作成」，「テーマフォルダ作成」などのメニューを表示させる。ここで、「テーマリンク作成」の処理メニューは、選択テーマアイコンＩＳをリンクアイコン（ショートカットアイコン）として、より具体的には、画像・テーマ対応テーブル１５４内で選択テーマアイコンＩＳの画像テーマに対応付けられた画像に対するリンクアイコンとして、表示部１１に表示させることを指示するようになっている。また、「テーマフォルダ作成」の処理メニューは、選択テーマアイコンＩＳをフォルダアイコンとして、より詳細には、画像・テーマ対応テーブル１５４内で選択テーマアイコンＩＳの画像テーマに対応付けられた画像を格納するフォルダアイコンとして、表示部１１に表示させることを指示するようになっている。
【００４０】
次に、ＣＰＵ１８は、「テーマリンク作成」の処理メニューが選択されたか否かを判定し（ステップＳ７）、選択されたと判定した場合（ステップＳ７；Ｙｅｓ）には、指定画像フォルダ１５２Ｓ内の全ての画像をサムネイル化して表示部１１に一覧表示させる（ステップＳ８）。なお、このときＣＰＵ１８は、指定画像フォルダ１５２Ｓ内の全ての画像が表示部１１の表示領域内にいっぺんに表示されるよう、各サムネイル画像の大きさを調整するようになっている。また、このときＣＰＵ１８は、各画像を時間順に並べて表示しても良いし、タイトル順（五十音順など）に並べて表示しても良い。
【００４１】
次に、ＣＰＵ１８は、表示部１１に表示された先頭の画像（サムネイル画像）上に選択テーマアイコンＩＳを表示させる（ステップＳ９）。また、このときＣＰＵ１８は、後述の図８（ｂ）に示すように、リンク先の存在を示す矢印マークを選択テーマアイコンＩＳ内に表示させる（図中、選択テーマアイコンＩＳの左下部分を参照）。
【００４２】
次に、ＣＰＵ１８は、先頭の画像をチェック対象に指定した後（ステップＳ１０）、画像・テーマ対応テーブル１５４を参照してチェック対象の画像、つまり選択テーマアイコンＩＳの重ねられた画像の画像テーマを検出し、検出されたテーマ（チェック対象の画像の画像テーマ）の何れかと選択テーマアイコンＩＳのテーマとが一致するか否かを判定して（ステップＳ１１）、一致しないと判定した場合（ステップＳ１１；Ｎｏ）には、後述のステップＳ１３に移行する。
【００４３】
また、ステップＳ１１においてチェック対象の画像についての何れかの画像テーマと選択テーマアイコンＩＳのテーマとが一致すると判定した場合（ステップＳ１１；Ｙｅｓ）には、ＣＰＵ１８は、当該チェック対象の画像を赤枠で囲んで表示部１１に識別表示させるとともに、選択テーマアイコンＩＳ上に、当該チェック対象の画像についての極小のサムネイル画像を表示させる（ステップＳ１２）。
【００４４】
次に、ＣＰＵ１８は、表示部１１に表示された画像一覧内に次の画像が存在するか否かを判定し（ステップＳ１３）、存在すると判定した場合（ステップＳ１３；Ｙｅｓ）には、次の画像をチェック対象に指定して、当該チェック対象の画像上に選択テーマアイコンＩＳを移動させ（ステップＳ１４）、上述のステップＳ１１に移行する。これにより、選択テーマアイコンＩＳが画像一覧内の各画像上に所定の順序（ここでは表示部１１での並び順）で移動することとなる。なお、このステップＳ１４においてＣＰＵ１８は、上述のステップＳ１２によって選択テーマアイコンＩＳ上に極小のサムネイル画像が表示されている場合には、当該サムネイル画像とともに選択テーマアイコンＩＳを移動させる。
【００４５】
また、ステップＳ１３において画像一覧内に次の画像が存在しないと判定した場合（ステップＳ１３；Ｎｏ）には、ＣＰＵ１８は、表示部１１による画像一覧の表示を終了させるとともに、デスクトップに選択テーマアイコンＩＳをリンクアイコンとして表示させた後（ステップＳ１５）、上述のステップＳ２に移行する。なお、このときリンクアイコンとして表示されるテーマアイコンＩは、画像・テーマ対応テーブル１５４によって当該テーマアイコンＩの画像テーマに対応付けられた各画像に対してリンクするようになっている。
【００４６】
また、このステップＳ１５においてＣＰＵ１８は、指定画像フォルダ１５２Ｓ上に選択テーマアイコンＩＳの縮小画像を表示させる。これにより、指定画像フォルダ１５２Ｓ内に選択テーマアイコンＩＳに対応する画像が存在することが示される。
【００４７】
そして、ステップＳ２において画像フォルダ１５２が指定されないと判定した場合（ステップＳ２；Ｎｏ）には、ＣＰＵ１８は、リンクアイコンとして表示されたテーマアイコンＩが指定されるか否かを判定する（ステップＳ２１）。なお、本実施の形態においては、このステップＳ２１においてユーザはテーマアイコンＩをマウス１２１のダブルクリックによって指定することとして説明するが、他の操作によって指定することとしても良い。
【００４８】
そして、このステップＳ２１においてリンクアイコンとしてのテーマアイコンＩが指定されないと判定した場合（ステップＳ２１；Ｎｏ）には、ＣＰＵ１８は、他の処理へ移行する。
【００４９】
また、ステップＳ２１においてリンクアイコンとしてのテーマアイコンＩが指定されたと判定した場合（ステップＳ２１；Ｙｅｓ）には、ＣＰＵ１８は、指定されたテーマアイコンＩを表示部１１に拡大表示させるとともに、拡大されたテーマアイコンＩ上に、画像・テーマ対応テーブル１５４によって当該テーマアイコンＩの画像テーマに対応付けられた各画像のサムネイルを表示させる（ステップＳ２２）。
【００５０】
次に、ＣＰＵ１８は、何れかのサムネイル画像がユーザ操作により指定されるか否かを判定し（ステップＳ２３）、指定されないと判定した場合（ステップＳ２３；Ｎｏ）には、他の処理へ移行する。
【００５１】
また、ステップＳ２３において何れかのサムネイル画像がユーザ操作により指定されたと判定した場合（ステップＳ２３；Ｙｅｓ）には、ＣＰＵ１８は、指定のサムネイル画像を拡大表示させる（ステップＳ２４）。
【００５２】
次に、ＣＰＵ１８は、直前の表示状態に処理を戻すための戻る操作が行われるか否かを判定し（ステップＳ２５）、行われたと判定した場合（ステップＳ２５；Ｙｅｓ）には上述のステップＳ２３に移行する一方、行われないと判定した場合（ステップＳ２５；Ｎｏ）には他の処理へ移行する。
【００５３】
（画像表示処理の動作例）
続いて、図８〜図１１を参照しつつ、上記の画像表示処理を具体的に説明する。
【００５４】
まず、図８（ａ）に示すように、デスクトップに「２００８１１０９陽澄湖ツアー」の画像フォルダ１５２と、「２００８０１２６上海」の画像フォルダ１５２とが表示された状態で、「２００８１１０９陽澄湖ツアー」の画像フォルダ１５２が指定画像フォルダ１５２Ｓとして指定された後（ステップＳ１）、図３，図５に示すように、指定画像フォルダ１５２Ｓに含まれる各画像データが作成日時の古い順にソートされ、新規な画像・テーマ対応テーブル１５４Ｎに記憶される（ステップＴ１）。
【００５５】
次に、先頭の画像データの画像が処理対象に設定された後（ステップＴ２）、処理対象の画像とアイコンデータテーブル１５３内の各典型画像ＴＧとが比較されて、処理対象の画像に類似する典型画像ＴＧがアイコンデータテーブル１５３内で検索され、検出された各典型画像ＴＧの画像テーマ「バス」，「車内」，「ガイド」，…がテーマ展開領域１６０に蓄積記憶される（ステップＴ３）。そして、テーマ展開領域１６０に蓄積記憶された画像テーマが種類ごとに集計され、図５に示すように、数の多い３種類の画像テーマ「バス」，「車内」，「ガイド」が処理対象の画像の画像テーマとして画像・テーマ対応テーブル１５４Ｎに記憶される（ステップＴ４）。以降、同様にして、残りの画像データが処理対象に設定され（ステップＴ６）、その画像テーマが画像・テーマ対応テーブル１５４Ｎに記憶される（ステップＴ４）
また、「２００８０１２６上海」の画像フォルダ１５２についても、同様にして画像・テーマ対応テーブル１５４が作成される。
【００５６】
次に、図８（ａ）に示すように、ユーザが「２００８１１０９陽澄湖ツアー」の画像フォルダ１５２を指定し（ステップＳ２；Ｙｅｓ）、マウス１２１の右クリックで処理メニューの表示操作を行うと、「開く」、「テーマ毎に開く」、「テーマ設定」等の処理メニューが表示される。
【００５７】
次に、ユーザが「テーマ設定」の処理メニューを指定すると（ステップＳ４；Ｙｅｓ）、アイコンデータテーブル１５３に記憶された画像テーマのうち、指定画像フォルダ１５２Ｓに対応する画像・テーマ対応テーブル１５４内で各画像に対応付けられた画像テーマ「バス」，「上海蟹」，「湖」，…が読み出され、読み出された画像テーマに対応するテーマアイコンＩが、対応画像数の多い順で表示部１１に一覧表示される（ステップＳ５）。
【００５８】
次に、ユーザが「上海蟹」のテーマアイコンＩをすると（ステップＳ６；Ｙｅｓ）、選択テーマアイコンＩＳについての処理メニューとして、「テーマリンク作成」，「テーマフォルダ作成」などのメニューが表示される。
【００５９】
次に、「テーマリンク作成」の処理メニューをユーザが選択すると（ステップＳ７；Ｙｅｓ）、図８（ｂ）に示すように、指定画像フォルダ１５２Ｓ内の全ての画像がサムネイル化されて表示部１１に一覧表示される（ステップＳ８）。なお、図８（ｂ）以降では、指定画像フォルダ１５２Ｓ内の画像がタイトル順で並べて表示されている。
【００６０】
次に、表示部１１に表示された先頭のサムネイル画像上に選択テーマアイコンＩＳが表示される（ステップＳ９）。また、このとき選択テーマアイコンＩＳ内には、リンク先の存在を示す矢印マークが表示される。
【００６１】
次に、先頭の画像がチェック対象に指定されて（ステップＳ１０）、チェック対象の画像の画像テーマ「店」，「バス」，「ツーショット」が検出され、検出されたテーマ「店」，「バス」，「ツーショット」と選択テーマアイコンＩＳのテーマ「上海蟹」とが一致しないと判定される（ステップＳ１１；Ｎｏ）。
【００６２】
以降、同様にして、図８（ｂ）における上から２段目、左から２番目の画像までが順にチェック対象に指定されて、当該チェック対象の画像上に選択テーマアイコンＩＳが移動し（ステップＳ１４。図中の矢印線を参照）、チェック対象の画像の画像テーマと選択テーマアイコンＩＳのテーマ「上海蟹」とが一致しないと判定される（ステップＳ１１；Ｎｏ）。
【００６３】
次に、図９（ａ）に示すように、図中の上から２段目、左から３番目の画像がチェック対象に指定されて、当該チェック対象の画像上に選択テーマアイコンＩＳが移動し（ステップＳ１４）、チェック対象の画像の画像テーマ「上海蟹」，…が選択テーマアイコンＩＳのテーマ「上海蟹」と一致すると判定され（ステップＳ１１；Ｙｅｓ）、当該チェック対象の画像が赤枠で囲まれて識別表示されるとともに、選択テーマアイコンＩＳ上に、当該チェック対象の画像についての極小のサムネイル画像が表示される（ステップＳ１２）。
【００６４】
次に、上記と同様にして、図９（ａ）における上から３段目、左から１番目の画像までが順にチェック対象に指定されて、当該チェック対象の画像上に選択テーマアイコンＩＳが移動し（ステップＳ１４。図中の矢印線を参照）、チェック対象の画像の画像テーマと選択テーマアイコンＩＳのテーマ「上海蟹」とが一致しないと判定される（ステップＳ１１；Ｎｏ）。
【００６５】
次に、図９（ｂ）に示すように、図中の上から３段目、左から２番目〜４番目の画像が順にチェック対象に指定されて、当該チェック対象の画像上に選択テーマアイコンＩＳが移動し（ステップＳ１４）、チェック対象の画像の画像テーマ「上海蟹」，…が選択テーマアイコンＩＳのテーマ「上海蟹」と一致すると判定され（ステップＳ１１；Ｙｅｓ）、当該チェック対象の画像が赤枠で囲まれて識別表示されるとともに、選択テーマアイコンＩＳ上に、当該チェック対象の画像についての極小のサムネイル画像が表示される（ステップＳ１２）。
【００６６】
以降、図１０（ａ）に示すように、同様にして選択テーマアイコンＩＳが画像一覧内の各画像上に並び順で移動し、選択テーマアイコンＩＳの重ねられた画像のテーマと選択テーマアイコンＩＳのテーマとが一致する場合には、当該画像が識別表示されて、その極小のサムネイル画像が選択テーマアイコンＩＳ上に表示される。
【００６７】
そして、画像一覧内に次の画像が存在しないと判定されると（ステップＳ１３；Ｎｏ）、図１０（ａ），（ｂ）に示すように、画像一覧の表示が終了し、デスクトップに選択テーマアイコンＩＳがリンクアイコンとして表示される（ステップＳ１５）。また、このとき「２００８１１０９陽澄湖ツアー」の指定画像フォルダ１５２Ｓ上に選択テーマアイコンＩＳの縮小画像が表示される。
【００６８】
次に、リンクアイコンとして表示された「上海蟹」のテーマアイコンＩをユーザが指定すると（ステップＳ２１；Ｙｅｓ）、図１１（ａ）に示すように、指定されたテーマアイコンＩが表示部１１に拡大表示されるとともに、拡大されたテーマアイコンＩ上に、画像・テーマ対応テーブル１５４によって当該テーマアイコンＩの画像テーマに対応付けられた各画像のサムネイルが表示される（ステップＳ２２）。
【００６９】
そして、図中に矢印記号で示すサムネイル画像をユーザが指定すると（ステップＳ２３；Ｙｅｓ）、図１１（ｂ）に示すように、指定のサムネイル画像が拡大表示される（ステップＳ２４）。
【００７０】
以上のように、本実施形態の画像表示装置１によれば、図６のステップＳ６〜Ｓ１４や、図８〜図１０（ａ）等に示したように、画像一覧が表示されて、何れかのテーマアイコンＩが選択テーマアイコンＩＳとして選択されると、選択テーマアイコンＩＳが表示されて画像一覧内の各画像上に所定の順序で移動し、選択テーマアイコンＩＳの重ねられた画像のテーマと選択テーマとが一致する場合には、当該画像が画像一覧内で識別表示されるので、画像一覧内を選択テーマアイコンＩＳが移動することにより、当該選択テーマアイコンＩＳと同じテーマの画像が順次、検出されて識別表示される。従って、分類された状態の画像が静的に表示される従来の場合と比較して、面白みを持たせて画像を分類表示することができる。
【００７１】
また、図６のステップＳ１５，Ｓ２２や図１０〜図１１等に示したように、選択テーマアイコンＩＳが画像一覧内の全ての画像上を移動した場合には、当該画像一覧の表示が終了するとともに、当該テーマアイコンＩが画像へのリンクとして表示され、表示されたテーマアイコンＩに対するユーザ操作に応じて、当該テーマアイコンＩが拡大表示されるとともに、このテーマアイコンＩ上に、当該テーマアイコンＩのテーマに対応付けられた各画像のサムネイルが表示されるので、テーマアイコンＩとテーマの一致する画像を容易に表示させることができる。
【００７２】
また、図６のステップＳ５〜Ｓ６や図８（ａ）等に示したように、画像一覧が表示される場合に、アイコンデータテーブル１５３に記憶された画像テーマで、かつ、画像一覧に含まれる画像のテーマが検出されてそのテーマアイコンＩが一覧表示され、一覧表示された何れかのテーマアイコンＩがユーザ操作に基づき選択テーマアイコンＩＳとして選択されるので、画像一覧内の画像で表現されていないテーマについてのテーマアイコンＩが選択テーマアイコンＩＳとして選択されてしまうのを防止することができる。
【００７３】
なお、上記の実施の形態における画像表示装置１の各構成要素の細部構成及び細部動作に関しては、本発明の趣旨を逸脱しない範囲で適宜変更可能であることは勿論である。
【００７４】
例えば、本発明に係る画像表示装置をフォトフレーム等として説明したが、本発明が適用可能なものは、このような製品に限定されず、携帯電話、パソコン、ＰＤＡ（Ｐｅｒｓｏｎａｌ  Ｄｉｇｉｔａｌ  Ａｓｓｉｓｔａｎｔ）、ゲーム機などの電子機器全般に適用可能である。また、本発明に係る画像表示プログラム１５０は、画像表示装置１に対して着脱可能なメモリカード、ＣＤ等に記憶されることとしてもよい。
【００７５】
また、アイコンデータテーブル１５３はテーマ名とテーマアイコンＩと典型画像ＴＧとを対応付けて記憶することとして説明したが、図１２に示すように、テーマ名と、テーマアイコンＩと、テーマ名に関連するキーワードとを対応付けて記憶することとしても良い。この場合には、上述のステップＴ３においてＣＰＵ１８は、各キーワードを用いてインターネット上で画像を検索し、検出された画像を典型画像ＴＧとして使用する。
【符号の説明】
【００７６】
１          画像表示装置
１１              表示部
１２              入力部
１５              ＲＯＭ
１６              ＲＡＭ
１８              ＣＰＵ
１５０            画像表示プログラム
【図１】
0005621460.tif 000002
【図２】
0005621460.tif 000003
【図３】
0005621460.tif 000004
【図４】
0005621460.tif 000005
【図５】
0005621460.tif 000006
【図６】
0005621460.tif 000007
【図７】
0005621460.tif 000008
【図８】
0005621460.tif 000009
【図９】
0005621460.tif 000010
【図１０】
0005621460.tif 000011
【図１１】
0005621460.tif 000012
【図１２】
0005621460.tif 000013